(57)【要約】【課題】  染料系インクジェットインクにより印刷された画像のブロンズ現象の軽減をもたらす印刷媒体を提供する。【解決手段】  ブロンズ現象軽減をもたらす印刷媒体の製造方法を開示する。当該方法は、印刷媒体中に添加剤を取り込むステップを包含し、この場合、前記添加剤は、印刷媒体のｐＨを高めるものである。本発明は、印刷画像のブロンズ現象を軽減する方法も開示する。当該方法は、印刷媒体中に添加剤を取り込むことによって印刷媒体のｐＨを高めるステップを包含する。【選択図】なし【特許請求の範囲】
【請求項１】
軽減されたブロンズ現象を示す印刷媒体の製造方法であって、前記印刷媒体中に添加剤を取り込むステップを包含し、前記添加剤が染料系インクジェットインクと共に使用するための前記印刷媒体のｐＨを高める、方法。
【請求項２】
印刷画像におけるブロンズ現象を軽減させる方法であって、
前記印刷媒体中に添加剤を取り込むことによって前記印刷媒体のｐＨを高めるステップと、
前記印刷媒体上に画像を適用するステップと、
を包含する方法。
【請求項３】
前記添加剤が、有機塩基あるいは無機塩基である請求項１又は２に記載の方法。
【請求項４】
前記印刷媒体中に前記添加剤を取り込むステップが、４−モルホリンエタン−スルホン酸、ビス（２−ヒドロキシエチル）イミノ−トリス（ヒドロキシメチル）メタン、Ｎ−（２−アセトアミド）イミノ−アセト酢酸、Ｎ−（２−アセトアミド）−２−アミノエタンスルホン酸、ピペラジン−Ｎ，Ｎ’−ビス（２−エタンスルホン酸）、β−ヒドロキシ−４−モルホリンプロパンスルホン酸、１，３−ビス［トリス（ヒドロキシメチル）メチルアミノ］−プロパン、Ｎ，Ｎ−ビス（２−ヒドロキシエチル）−２−アミノエタンスルホン酸、４−（Ｎ−モルホリノ）ブタンスルホン酸、Ｎ−トリス（ヒドロキシメチル）メチル−２−アミノエタンスルホン酸、Ｎ−（２−ヒドロキシエチル）ピペラジン−Ｎ’−２−エタンスルホン酸、Ｎ，Ｎ−ビス（２−ヒドロキシエチル）−３−アミノ−２−ヒドロキシプロパンスルホン酸、４−モルホリンプロパンスルホン酸、３−［Ｎ−トリス（ヒドロキシメチル）メチルアミノ］−２−ヒドロキシプロパン−スルホン酸、トリス（ヒドロキシメチル）アミノメタン、Ｎ−［２−ヒドロキシエチル］ピペラジン−Ｎ’−［２−ヒドロキシプロパン−スルホン酸］、ピペラジン−Ｎ，Ｎ’−ビス［２−ヒドロキシプロパンスルホン酸］、トリエタノールアミン、Ｎ−［２−ヒドロキシエチル］ピペラジン−Ｎ’−［３−プロパンスルホン酸］、Ｎ−［トリス（ヒドロキシメチル）メチル］グリシン、グリシル−グリシン、Ｎ，Ｎ−ビス（２−ヒドロキシエチル）グリシン、Ｎ−（２−ヒドロキシエチル）ピペラジン−Ｎ’−（４−ブタンスルホン酸）、［（２−ヒドロキシ−１，１−ビス［ヒドロキシメチル］エチル）アミノ］−１−プロパンスルホン酸、２−アミノ−２−メチル−１，３−プロパンジオール、Ｎ−トリス−（ヒドロキシメチル）メチル−４−アミノブタンスルホン酸、３−（［１，１−ジメチル−２−ヒドロキシエチル］アミノ）−２−ヒドロキシプロパンスルホン酸、２−（シクロヘキシルアミノ）エタンスルホン酸、３−（シクロヘキシルアミノ）−２−ヒドロキシ−１−プロパンスルホン酸、２−アミノ−２−メチルプロパノール、３−シクロヘキシルアミノ−１−プロパンスルホン酸、４−シクロヘキシルアミノ−１−ブタンスルホン酸、酢酸ナトリウム、又はコハク酸ナトリウムのうちの少なくとも１つを前記印刷媒体中に取り込むステップを包含する請求項１から３の何れか１つに記載の方法。
【請求項５】
前記印刷媒体中に前記添加剤を取り込むステップが、炭酸水素ナトリウム、炭酸ナトリウム、ホウ酸ナトリウム、リン酸ナトリウム、酢酸ナトリウム、亜硫酸ナトリウム、重亜硫酸ナトリウム、又は水酸化ナトリウムのうちの少なくとも１つを前記印刷媒体中に取り込むステップを包含する請求項１から４の何れか１つに記載の方法。
【請求項６】
前記印刷媒体中に前記添加剤を取り込むステップが、前記印刷媒体がその中に配置されるところの下地コート液中に前記添加剤を取り込むステップ、又は前記印刷媒体のコーティング調合物中に前記添加剤を混合するステップを包含する請求項１から５の何れか１つに記載の方法。
【請求項７】
前記印刷媒体中に前記添加剤を取り込むステップが、前記印刷媒体の全コーティング調合物の約０．００１ｗｔ％〜約２０ｗｔ％の量で、前記添加剤を前記印刷媒体中に取り込むステップを包含する請求項１から６の何れか１つに記載の方法。
【請求項８】
前記印刷媒体中に前記添加剤を取り込むステップが、前記添加剤を写真用印刷媒体中に取り込むステップを包含する請求項１から７の何れか１つに記載の方法。
【請求項９】
軽減されたブロンズ現象を示す印刷媒体であって、
前記印刷媒体中に取り込まれている少なくとも１つの添加剤を含有し、該少なくとも１つの添加剤が、前記印刷媒体のｐＨを高める有機塩基あるいは無機塩基である印刷媒体。
【請求項１０】
前記少なくとも１つの添加剤が、４−モルホリンエタン−スルホン酸、ビス（２−ヒドロキシエチル）イミノ−トリス（ヒドロキシメチル）メタン、Ｎ−（２−アセトアミド）イミノ−アセト酢酸、Ｎ−（２−アセトアミド）−２−アミノエタンスルホン酸、ピペラジン−Ｎ，Ｎ’−ビス（２−エタンスルホン酸）、β−ヒドロキシ−４−モルホリンプロパンスルホン酸、１，３−ビス［トリス（ヒドロキシメチル）メチルアミノ］−プロパン、Ｎ，Ｎ−ビス（２−ヒドロキシエチル）−２−アミノエタンスルホン酸、４−（Ｎ−モルホリノ）ブタンスルホン酸、Ｎ−トリス（ヒドロキシメチル）メチル−２−アミノエタンスルホン酸、Ｎ−（２−ヒドロキシエチル）ピペラジン−Ｎ’−２−エタンスルホン酸、Ｎ，Ｎ−ビス（２−ヒドロキシエチル）−３−アミノ−２−ヒドロキシプロパンスルホン酸、４−モルホリンプロパンスルホン酸、３−［Ｎ−トリス（ヒドロキシメチル）メチルアミノ］−２−ヒドロキシプロパン−スルホン酸、トリス（ヒドロキシメチル）アミノメタン、Ｎ−［２−ヒドロキシエチル］ピペラジン−Ｎ’−［２−ヒドロキシプロパン−スルホン酸］、ピペラジン−Ｎ，Ｎ’−ビス［２−ヒドロキシプロパンスルホン酸］、トリエタノールアミン、Ｎ−［２−ヒドロキシエチル］ピペラジン−Ｎ’−［３−プロパンスルホン酸］、Ｎ−［トリス（ヒドロキシメチル）メチル］グリシン、グリシル−グリシン、Ｎ，Ｎ−ビス（２−ヒドロキシエチル）グリシン、Ｎ−（２−ヒドロキシエチル）ピペラジン−Ｎ’−（４−ブタンスルホン酸）、［（２−ヒドロキシ−１，１−ビス［ヒドロキシメチル］エチル）アミノ］−１−プロパンスルホン酸、２−アミノ−２−メチル−１，３−プロパンジオール、Ｎ−トリス−（ヒドロキシメチル）メチル−４−アミノブタンスルホン酸、３−（［１，１−ジメチル−２−ヒドロキシエチル］アミノ）−２−ヒドロキシプロパンスルホン酸、２−（シクロヘキシルアミノ）エタンスルホン酸、３−（シクロヘキシルアミノ）−２−ヒドロキシ−１−プロパンスルホン酸、２−アミノ−２−メチルプロパノール、３−シクロヘキシルアミノ−１−プロパンスルホン酸、４−シクロヘキシルアミノ−１−ブタンスルホン酸、酢酸ナトリウム、コハク酸ナトリウム、炭酸水素ナトリウム、炭酸ナトリウム、ホウ酸ナトリウム、リン酸ナトリウム、亜硫酸ナトリウム、重亜硫酸ナトリウム、及び水酸化ナトリウムから成る群から選択される請求項９に記載の印刷媒体。
【発明の詳細な説明】
【技術分野】
【０００１】
本発明は、インクジェット印刷に使用される印刷媒体に関し、より詳細には、軽減されたブロンズ現象を示す印刷媒体に関する。
【背景技術】
【０００２】
オフィス及び家庭におけるインクジェットプリンタの利用は、近年、劇的に進展した。この進展は、インクジェットプリンタのコストの徹底的な低減と、印刷分解能及び総合的な印刷品質の実質的改善によるものと考えてよい。現在、インクジェットプリンタは、普通紙、透明紙、及び特殊用紙のような、様々な種類の印刷媒体上に印刷することができる。これらの印刷媒体上での種々の印刷特性の改善は絶えず求められている。ディジタル印刷の使用に適する印刷媒体は既に開発されているが、これらの印刷媒体上での印刷品質を改善すべく研究開発努力が続けられている。
【０００３】
写真画像の画像品質は、インクジェットインクと、その上に画像が印刷される印刷媒体との関数である。写真画質の重要な特性として、幾つか挙げれば、飽和色、高光沢、光沢の均一性、粒状物及び凝集物が無いこと、及び高度の画像永続性がある。しかしながら、現在の印刷媒体では、印刷された画像は、通常、望ましくない特性を示す。
【０００４】
そうした望ましくない１つの特性であるブロンズ現象は、印刷画像を特定の角度で見る場合に観察される金属光沢を生ずる光学現象である。さらに、色相は、通常、意図された色相のそれとは変化し且つ光沢及び光学濃度の低下が起こることもある。染料系インクジェットインクで印刷された画像の場合、ブロンズ現象は、印刷媒体表面上に生成する染料の凝集体又は結晶の存在に起因するものと思われる。ブロンズ現象は、ブラックインクに関して最も顕著であるとはいえ、カラーインクもブロンズ現象を呈する。カラーインクに関しては、ブロンズ現象は、二次的カラーの場合のように、色濃度が比較的高くなる場合により顕著である。印刷画像のブロンズ現象を軽減もしくは排除することは、より高い光沢及びより良好な光沢均一性の一助となる。
【０００５】
ブロンズ現象を軽減するために、印刷媒体又はインクジェットインクに対する改良が提案されている。例えば、高分子粒子を含んでいるインクジェット記録用要素の利用が開示されている。典型的には、アクリル系又はスチレン系モノマーのような、高分子粒子をインクジェット記録用要素の画像形成層に付加する。さらに、ブロンズ現象を軽減するために、画像形成層のｐＨは８．５に調節される。
【０００６】
ブロンズ現象問題についてのその他の解決策も提案されている。例えば、表面張力を低下させる添加剤を含有するインクジェット組成物の利用も開示されている。これらのインクジェット組成物では、ブロンズ現象を軽減させるために、複数の染料が使用され、且つ緩衝剤を任意に添加してインクジェット組成物のｐＨは７〜９．５に調節されている。また、対イオンとしてのアンモニウムイオンと、無機又は有機酸のアンモニウム塩を含有するインク組成物もまた開示されている。これらのインク組成物はまた、インクの安定性を改善するためにアルカリ金属塩も含有する。
【０００７】
顔料系インク組成物の使用も開示されている。そのようなインクは、典型的に、化学的手段、熱的手段、光分解手段、及び／又は放射手段によって不溶性顔料に変換される水溶性前駆体を含有する。前記化学的手段には、印刷媒体上に存在し、前記前駆体と反応する顔料形成促進剤化合物が含まれる。顔料形成促進剤化合物は、有機酸、有機塩基、無機酸、又は無機塩基である。顔料系インク組成物は、顔料形成促進剤化合物を含んでいる印刷媒体上に印刷される場合にブロンズ現象の軽減を呈する。
【発明の開示】
【発明が解決しようとする課題】
【０００８】
染料系インクジェットインクにより印刷された画像のブロンズ現象の軽減をもたらす印刷媒体を提供することが望ましい。
【課題を解決するための手段】
【０００９】
ブロンズ現象軽減をもたらす印刷媒体の製造方法を開示する。当該方法は、印刷媒体中に添加剤を取り込むステップを包含し、この場合、その添加剤は、印刷媒体のｐＨを高めるものである。
【００１０】
本発明は、印刷画像のブロンズ現象を軽減する方法にも関連する。当該方法は、印刷媒体中に添加剤を取り込むことによって印刷媒体のｐＨを高めるステップを包含する。
【発明の効果】
【００１１】
本発明の印刷媒体及び方法は、インクジェット印刷画像のブロンズ現象を軽減させることができる。
【発明を実施するための最良の形態】
【００１２】
添加剤を印刷媒体中に取り込んで印刷媒体上に印刷された画像のブロンズ現象を軽減もしくは排除する。当該添加剤は、有機又は無機の塩基を含有することができる。本明細書において議論される実施例及び実施形態は、１つの添加剤を含んでいるような印刷媒体を記述するが、少なくとも２つの添加剤を印刷媒体中に取り込み得ることも意図される。例えば、有機塩基の混合物、無機塩基の混合物、又は有機塩基と無機塩基の混合物を印刷媒体において用いることができる。全ての成分の純度は、インクジェット印刷において通常商用に供される純度である。
【００１３】
ブロンズ現象を軽減させるために、印刷媒体のｐＨを未処理の印刷媒体のｐＨに比べて高めることができる。ｐＨは、酸性ｐＨ又は塩基性ｐＨの何れかを有する在来の印刷媒体中に添加剤を取り込むことによって高めることができる。例えば、酸性ｐＨをもつ印刷媒体を使用する場合、当該印刷媒体のｐＨは、それがより弱酸性に又は塩基性にすらなるように高めることができる。塩基性ｐＨをもつ印刷媒体を使用する場合、当該印刷媒体のｐＨは、それがより高い塩基性になるように高めることができる。添加剤が印刷媒体のｐＨを高める度合い、即ち、ブロンズ現象を軽減させる度合いは、その添加剤の塩基強度に依存し得る。ブロンズ現象の軽減はまた、印刷媒体及びインクジェットインクに使用される染料の性質にも依存し得る。換言すれば、ある印刷媒体及び染料についてのブロンズ現象を軽減もしくは排除するのに要するｐＨの上昇は、同一の印刷媒体上の異なる染料に対して、又は異なる印刷媒体上の同一の染料に対して要求されるｐＨの上昇とは異なり得る。印刷媒体のｐＨ上昇もまた、印刷媒体の表面上にある染料の結晶化を低減させるため、光沢を改善し、ブロンズ現象を軽減できる。ｐＨの上昇はまた、色相を有利に改善し、彩度の向上に帰着する。
【００１４】
前記有機塩基として、限定はしないが、４−モルホリンエタン−スルホン酸（「ＭＥＳ」）、ビス（２−ヒドロキシエチル）イミノ−トリス（ヒドロキシメチル）メタン（「Ｂｉｓ−Ｔｒｉｓ」）、Ｎ−（２−アセトアミド）イミノ−アセト酢酸（「ＡＤＡ」）、Ｎ−（２−アセトアミド）−２−アミノエタンスルホン酸（「ＡＣＥＳ」）、ピペラジン−Ｎ，Ｎ’−ビス（２−エタンスルホン酸）（「ＰＩＰＥＳ」）、β−ヒドロキシ−４−モルホリンプロパンスルホン酸（「ＭＯＰＳＯ」）、１，３−ビス（トリス（ヒドロキシメチル）メチルアミノ）−プロパン（「Ｂｉｓ−Ｔｒｉｓプロパン」）、Ｎ，Ｎ−ビス（２−ヒドロキシエチル）−２−アミノエタンスルホン酸（「ＢＥＳ」）、４−（Ｎ−モルホリノ）ブタンスルホン酸（「ＭＯＢＳ」）、Ｎ−トリス（ヒドロキシメチル）メチル−２−アミノエタンスルホン酸（「ＴＥＳ」）、Ｎ−（２−ヒドロキシエチル）ピペラジン−Ｎ’−２−エタンスルホン酸（「ＨＥＰＥＳ」）、Ｎ，Ｎ−ビス（２−ヒドロキシエチル）−３−アミノ−２−ヒドロキシプロパンスルホン酸（「ＤＩＰＳＯ」）、４−モルホリンプロパンスルホン酸（「ＭＯＰＳ」）、３−（Ｎ−トリス（ヒドロキシメチル）メチルアミノ）−２−ヒドロキシプロパン−スルホン酸（「ＴＡＰＳＯ」）、トリス（ヒドロキシメチル）アミノメタン（「ＴＲＩＺＭＡ（登録商標）」）、Ｎ−（２−ヒドロキシエチル）ピペラジン−Ｎ’−（２−ヒドロキシプロパン−スルホン酸）（「ＨＥＰＰＳＯ」）、ピペラジン−Ｎ，Ｎ’−ビス（２−ヒドロキシプロパンスルホン酸）（「ＰＯＰＳＯ」）、トリエタノールアミン（「ＴＥＡ」）、Ｎ−（２−ヒドロキシエチル）ピペラジン−Ｎ’−（３−プロパンスルホン酸）（「ＥＰＰＳ」）、Ｎ−（トリス（ヒドロキシメチル）メチル）グリシン（「Ｔｒｉｃｉｎｅ」）、グリシル−グリシン（「ｇｌｙ  ｇｌｙ」）、Ｎ，Ｎ−ビス（２−ヒドロキシエチル）グリシン（「Ｂｉｃｉｎｅ」）、Ｎ−（２−ヒドロキシエチル）ピペラジン−Ｎ’−（４−ブタンスルホン酸）（「ＨＥＰＢＳ」）、（（２−ヒドロキシ−１，１−ビス（ヒドロキシメチル）エチル）アミノ）−１−プロパンスルホン酸（「ＴＡＰＳ」）、２−アミノ−２−メチル−１，３−プロパンジオール（「ＡＭＰＤ」）、Ｎ−トリス−（ヒドロキシメチル）メチル−４−アミノブタンスルホン酸（「ＴＡＢＳ」）、３−（（１，１−ジメチル−２−ヒドロキシエチル）アミノ）−２−ヒドロキシプロパンスルホン酸（「ＡＭＰＳＯ」）、２−（シクロヘキシルアミノ）エタンスルホン酸（「ＣＨＥＳ」）、３−（シクロヘキシルアミノ）−２−ヒドロキシ−１−プロパンスルホン酸（「ＣＡＰＳＯ」）、２−アミノ−２−メチルプロパノール（「ＡＭＰ」）、３−シクロヘキシルアミノ−１−プロパンスルホン酸（「ＣＡＰＳ」）、４−シクロヘキシルアミノ−１−ブタンスルホン酸（「ＣＡＢＳ」）、酢酸ナトリウム、及びコハク酸ナトリウムを挙げることができ、これらの全ては、シグマアルドリッチ社（米国ミズーリ州セントルイス）から入手できる。
【００１５】
無機塩基として、限定はしないが、炭酸水素ナトリウム、炭酸ナトリウム、ホウ酸ナトリウム、リン酸ナトリウム、酢酸ナトリウム、亜硫酸ナトリウム、重亜硫酸ナトリウム、及び水酸化ナトリウムをあげることができ、これらの全ては、シグマアルドリッチ社（米国ミズーリ州セントルイス）から入手できる。ナトリウムを使用することに加えて、限定はしないが、カリウム及びリチウムを含む他の対イオンを使用し得ることを意図している。
【００１６】
当該添加剤は、印刷媒体の望ましい諸性質に悪影響を及ぼすことなくブロンズ現象を十分軽減できる量にて、印刷媒体に存在させることができる。例えば、当該添加剤は、全コーティング調合物の約０．００１ｗｔ％〜約２０ｗｔ％で印刷媒体中に存在させ得る。好ましくは、当該添加剤は、約０．００１ｗｔ％〜約５ｗｔ％で印刷媒体中に存在する。最も好ましくは、当該添加剤は、約０．００１ｗｔ％〜約３ｗｔ％の量で印刷媒体中に存在する。
【００１７】
印刷媒体には、普通紙、又はコート紙、光沢紙、微孔質印刷媒体、もしくは写真用紙のような、特殊紙を用いることができる。好ましくは、印刷媒体は、在来のディジタル印刷用写真用紙である。当該印刷媒体は、不透明、半透明、又は透明であってよく且つ支持層及びインク受容層を含み得る。前記支持層として、限定はしないが、普通紙、レジンコート紙、プラスチック（例えば、ポリ（エチレンテレフタレート）、ポリ（エチレンナフタレート）及びポリエステルジアセテートのようなポリエステル系樹脂、ポリカーボネート系樹脂、フッ素系樹脂）、金属箔、ガラス材料、等を挙げることができる。支持層が透明である場合、透明な印刷媒体を得て、オーバヘッド投影機における透明画として用いることができる。支持層の厚さは、約１２μｍ〜約５００μｍ、好ましくは約７５μｍ〜約３００μｍとすることができる。
【００１８】
印刷媒体のインク受容層は、大量のインクジェットインクを吸収する単層又は多層コーティングとすることができ、これは高品質の写真画像を印刷するのに必要とされる。インク受容層は、在来の多孔質又は膨潤性のコーティングを含むことができ、さらに、水溶性高分子結合剤又は水分散性樹脂のような、高分子結合剤を含むことができる。適切な水溶性の高分子結合剤として、限定はしないが、ポリ（２−エチル−２−オキサゾリン）、ポリ（ビニルピロリドン）、ビニルピロリドンコポリマー、（ポリ（エチレンオキシド）、デンプン、カゼイン、アルギン酸ナトリウム、ゼラチン、アラビアゴム、及びセルロース誘導体を挙げることができる。適切な水分散性樹脂として、限定はしないが、ポリアクリレート、ポリメタクリレート、ポリウレタン、ポリ酢酸ビニル、ポリ塩化ビニル、スチレンと無水マレイン酸のコポリマーを挙げることができる。
【００１９】
印刷媒体は、１段階の処理で形成することができ、この場合、インク受容層及び支持層は、共押出しされ、引伸ばされ、形成中に複合的に結合される。あるいは、インク受容層と支持層とを別々に形成し、当分野で周知の在来技術によって互いに接着させることができる。加えて、インク受容層のコーティング調合物を、ブレードコーティング、エアナイフコーティング、ロッドコーティング、巻線（ｗｏｕｎｄ  ｗｉｒｅ）ロッドコーティング、ロールコーティング、スロットコーティング、スライドホッパーコーティング、グラビア、及びカーテンコーティング、等を含む在来のコーティング技術によって支持層上にコーティングすることができる。コーティング調合物はまた、退色阻止剤、可塑剤、あるいは界面活性剤のような任意選択の成分も含有することができる。
【００２０】
当該添加剤は、添加剤を含有する溶液に印刷媒体を配置することによって印刷媒体中に取り込むことができる。あるいはまた、インク受容層のような、印刷媒体の１つの層のコーティング調合物中に添加剤を混合することもできる。添加剤を印刷媒体中に取り込むこれらの技術によって、ブロンズ現象を軽減するための扱いやすく、費用効果的な溶液がもたらされる。当該添加剤は、添加剤を含んでいる下地コート液（ｗａｓｈ  ｃｏａｔ）に印刷媒体を配置することによって印刷媒体中に取り込むことができる。下地コート液は、添加剤の溶解度に依存して、水、アルコール、あるいはそれらの混合物に添加剤を溶解させることによって形成させ得る。当該下地コート液は、印刷媒体において添加剤の所望の重量パーセントを実現できるように、十分な濃度の添加剤を含むことができる。例えば、下地コート液中の添加剤の濃度は、約５０ｗｔ％程度とすることができる。印刷媒体は、印刷媒体中に添加剤を十分取り込めるほどの時間にわたって下地コート液に配置することができる。また、下地コート液を印刷媒体上へ噴霧し得ることも意図している。印刷媒体は、溶媒を蒸発させることによるか、又は溶媒を除去すべく印刷媒体を加熱することによって乾燥させることができる。
【００２１】
印刷媒体の種類及び印刷媒体中に添加剤を取り込むのに用いられる技術に応じて、添加剤は、印刷媒体の一部に浸透するか、又は印刷媒体全体に拡散し得る。達する浸透の深さに関係なく、印刷媒体中に添加剤を均質に取り込むことができる。
【００２２】
在来のインクジェットプリンタ及び在来のインクジェットインクを用いて、所望の画像を当該印刷媒体上に印刷することができる。インクジェットインクは、溶媒あるいはキャリヤー液と、少なくとも１つの染料あるいは顔料を含み得る。好ましくは、染料系インクジェットインクを用いる。インクジェットインクは、インクジェットインクの所望の諸性質に応じて、任意に、湿潤剤、有機溶媒、洗浄剤、増粘剤、及び／又は防腐剤を含有し得る。染料には、水溶性の酸性染料、直接染料、食品用染料、媒染染料、又は、限定はしないが、スルホネート染料もしくはカルボネート染料、を含む反応性染料を用いることができる。インクジェットインクは、ドロップオンデマンド又は連続印刷技術によって印刷媒体に適用するか、又はその上に印刷することができる。一実施形態では、ディジタル印刷技術によって画像を写真用紙上に印刷する。
【００２３】
所望の画像を印刷後、インクジェットインクが乾いてから、印刷した画像を目視観察してブロンズ現象を定性的に測定した。ブロンズ現象は、細線において及びインクジェットインクの濃淡の無い一様な区画の端の周辺で最もはっきりと現れ得るため、ブロック形状の画像を印刷することができる。加えて、印刷画像の色相角の変化を測定することによりブロンズ現象の定量的測定も実施し得る。
【００２４】
以下の実施例によって本発明をさらに詳しく説明する。
【実施例１】
【００２５】
有機及び無機塩基により処理された印刷媒体の製造
表１に列挙している各々の添加剤について１０％水溶液を調製した。これらの溶液の各々を、多孔質のインク受容層がコーティングされている写真用印刷媒体表面上へ噴霧して、１０個の処理済印刷媒体を作った。当該印刷媒体は、未処理表面のｐＨは４．２であった。処理済印刷媒体を４０℃に設定したオーブン中で一晩乾燥させた。
【００２６】
【表１】
2004314635.tif 000002
【実施例２】
【００２７】
シアンインクジェットインクのブロンズ現象の測定
シアンの染料系インクジェットインクを用いて、実施例１に記載した処理済み印刷媒体と比較対照用（未処理）印刷媒体上に、様々なインク密度のブロック形状画像を印刷した。各処理済み印刷媒体上の印刷画像と、比較対照用印刷媒体上の印刷画像とを目視比較して、処理済み印刷媒体のブロンズ現象軽減能を測定した。ブロンズ現象は、１〜１０の等級によってランク付けした（１０はブロンズ現象が生じなかったことを表す）。
【００２８】
表１に示すように、炭酸水素ナトリウム、炭酸ナトリウム、ホウ酸ナトリウム、リン酸水素ナトリウム、酢酸ナトリウム、あるいは水酸化ナトリウムで処理された印刷媒体は、比較対照用印刷媒体に比べて軽減されたブロンズ現象を示した。処理済み印刷媒体は、全て、在来技術で測定時、比較対照用印刷媒体に比べて、表面ｐＨの上昇を呈した。
【００２９】
色相角の変化は、グレタグマクベス社の分光光度計を用いて、従来技術によって測定した。表１に示すように、処理済み印刷媒体はブルー側への色相角変化を示した。
【実施例３】
【００３０】
他の有機及び無機塩基で処理された印刷媒体の製造
以下の３２種の塩基の各々の１０％水溶液を調製した。ＭＥＳ、Ｂｉｓ−Ｔｒｉｓ、ＡＤＡ、ＡＣＥＳ、ＰＩＰＥＳ、ＭＯＰＳＯ、Ｂｉｓ−Ｔｒｉｓプロパン、ＢＥＳ、ＭＯＰＳ、ＴＥＳ、ＨＥＰＥＳ、ＤＩＰＳＯ、ＭＯＢＳ、ＴＡＰＳＯ、ＴＲＩＺＭＡ、ＨＥＰＰＳＯ、ＰＯＰＳＯ、ＴＥＡ、ＥＰＰＳ、Ｔｒｉｃｉｎｅ、ｇｌｙ  ｇｌｙ、Ｂｉｃｉｎｅ、ＢＥＰＢＳ、ＴＡＰＳ、ＡＭＰＤ、ＴＡＢＳ、ＡＭＰＳＯ、ＣＨＥＳ、ＣＤＡＰＳＯ、ＡＭＰ、ＣＡＰＳ、及びＣＡＢＳ。多孔質のインク受容層がコーティングされている写真用印刷媒体表面上に上記溶液の各々（１つの印刷媒体当り１つの塩基）を噴霧して、３２種の処理済み印刷媒体を作った。未処理の印刷媒体表面のｐＨは４．２である。当該処理済み印刷媒体を４０℃に設定されたオーブンで一晩乾燥させた。
【実施例４】
【００３１】
シアンインクジェットインクのブロンズ現象の測定
シアンの染料系インクジェットインクを用いて、実施例３に記載した処理済み印刷媒体の各々と比較対照用（未処理）印刷媒体上に、様々なインク密度のブロック形状画像を印刷した。ブロンズ現象の程度は、印刷画像を目視観察して決定した。ブロンズ現象は、１〜１０の等級によってランク付けした（１０はブロンズ現象が生じなかったことを表す）。色相角の変化も測定した。
【００３２】
処理済み印刷媒体は、比較対照用印刷媒体と比較して、軽減されたブロンズ現象を呈する。
【実施例５】
【００３３】
マゼンタ、イエロー、及びブラックインクジェットインクのブロンズ現象の測定
マゼンタ、イエロー、及びブラックの染料系インクジェットインクを用いて、実施例１及び３に記載した処理済み印刷媒体の各々の表面上に、様々なインク密度のブロック形状画像を印刷した。これらのインクジェットインク印刷画像は、比較対照用印刷媒体と比較して、軽減されたブロンズ現象を呈する。
【００３４】
本発明には、様々な修正形態及び代替形態が包含され得るが、特定の実施形態を例示目的で示し、且つ本明細書において詳細に説明した。しかしながら、本発明を開示された特定の形態に限定するものではないことを理解されたい。むしろ、本発明は、添付の特許請求の範囲によって定義される発明の趣旨及び範囲内に帰属する全ての修正形態、等価形態、及び代替形態を網羅するものである。